(57)【要約】【課題】アンカーを保持しながら無音、無振動であと施工アンカーを打設することができる、あと施工アンカー打設装置を提供すること。【解決手段】油圧式工具に取り付けるあと施工アンカー打設装置であって、前記油圧式工具の油圧によって動作する押出部を有する本体と、前記本体の先端に設けてアンカーを保持するアンカー保持部と、一端を前記押出部によって保持して前記アンカー保持部に挿通し、前記押出部の動作によって他端が前記アンカー保持部から突出する、ロッドと、を有する、あと施工アンカー打設装置。【選択図】図１
2011101911.tif 000002
【特許請求の範囲】
【請求項１】
油圧式工具に取り付けるあと施工アンカー打設装置であって、
前記油圧式工具の油圧によって動作する押出部を有する本体と、
前記本体の先端に設けてアンカーを保持するアンカー保持部と、
一端を前記押出部によって保持して前記アンカー保持部に挿通し、前記押出部の動作によって他端が前記アンカー保持部から突出する、ロッドと、を有する、
あと施工アンカー打設装置。
【発明の詳細な説明】
【技術分野】
【０００１】
本発明は、無振動、無音であと施工アンカーを施工できる、あと施工アンカー打設装置に関する。
【背景技術】
【０００２】
従来、コンクリートの躯体４にドリル等によって形成したアンカー孔４１に、アンカー３を挿入して固着する、あと施工アンカーが知られている。
その中でも、アンカー３内部にコーン（くさび）３１を有し、専用の打ち込み棒５をアンカー３に挿入して、打ち込み棒５をハンマー６によって打撃してコーン３１をアンカー３先端方向に打ち込むことにより、アンカー３の拡張部３２を拡張してアンカー孔４１内壁に喰い込ませてアンカー３を固着する、内部コーン式アンカーが広く用いられている。（図４）
【発明の概要】
【発明が解決しようとする課題】
【０００３】
しかし、専用の打ち込み棒を用いた内部コーン式アンカーの固着方法には、以下のような問題点があった。
＜１＞アンカー孔の形成には静音ドリルが使用できるが、コーンの打ち込み時は打ち込み棒をハンマーで打撃するため、打撃音や振動が発生する。このため、施工場所や施工時間が限定されてしまう。
＜２＞挿入した打ち込み棒によってアンカーを保持しながら、打ち込み棒をハンマーで打撃するため、アンカーがアンカー孔内部で傾いた状態で固着する恐れがある。
＜３＞コーンの打ち込み状況は、打ち込みの手応えや音の変化によって判断するため、施工状態がアンカー毎に異なる。
【０００４】
本発明の目的は、アンカーを保持しながら無音、無振動であと施工アンカーを打設することができる、あと施工アンカー打設装置を提供することを目的とする。
【課題を解決するための手段】
【０００５】
上記目的を達成するためになされた本願の発明は、油圧式工具に取り付けるあと施工アンカー打設装置であって、前記油圧式工具の油圧によって動作する押出部を有する本体と、前記本体の先端に設けてアンカーを保持するアンカー保持部と、一端を前記押出部によって保持して前記アンカー保持部に挿通し、前記押出部の動作によって他端が前記アンカー保持部から突出する、ロッドと、を有する、あと施工アンカー打設装置を提供するものである。
【発明の効果】
【０００６】
本発明は、上記した課題を解決するための手段により、次のような効果の少なくとも一つを得ることができる。
＜１＞油圧式工具の油圧によってコーンを打ち込むため、無音、無振動で施工を行うことができる。
＜２＞アンカー本体を打設装置の先端に保持した状態で打設するため、ずれがなく、位置決めが容易である。
＜３＞ロッドを交換することによってロッドのアンカー保持部からの突出長さが調整できるため、コーンの打ち込み位置の調整が容易に行うことができ、均一な施工が可能である。
【図面の簡単な説明】
【０００７】
【図１】本発明のあと施工アンカー打設装置の説明図
【図２】あと施工アンカー打設装置の断面図
【図３】あと施工アンカーの施工方法の説明図
【図４】従来のあと施工アンカーの施工方法の説明図
【発明を実施するための形態】
【０００８】
以下、図面を参照しながら本発明の実施の形態について説明する。
【実施例】
【０００９】
［１］本発明の構成
本発明のあと施工アンカー打設装置１は、油圧式工具２に取り付けて使用し、先端に取り付けたアンカー３を、コンクリートの躯体４に予め設けたアンカー孔４１内に固定するためのものである。
あと施工アンカー打設装置１は、本体１１と、本体１１の先端に設けるアンカー保持部１２と、アンカー保持部１２に挿通するロッド１３からなる。（図１）
以下、各構成部材について詳述する。
【００１０】
＜１＞本体
本体１１は、油圧式工具２に取り付ける部材である。
本体１１は、フレーム１１１、取付部１１２、押出部１１３からなる。
フレーム１１１は本体１１を形成する枠体である。
取付部１１２は油圧式工具２に取り付ける部分であり、使用する油圧式工具２に合わせた形状とする。
押出部１１３はフレーム１１１内部の取付部１１２側に配置し、油圧式工具２によって前後方向に往復動するように形成する。
フレーム１１１の取付部１１２と反対側の端部（本体１１の先端）にはアンカー保持部１２を配置する。
フレーム１１１は、アンカー保持部１２を回動自在に保持する。
【００１１】
＜２＞アンカー保持部
アンカー保持部１２は打設するアンカー３を保持する部材である。
アンカー３の内周には雌ねじが切ってある。アンカー保持部１２の先端外周にネジ部１２１を形成し、アンカー３と螺着することによってアンカー３を保持する。
アンカー保持部１２はロッド挿通孔１２２を有する。ロッド挿通孔１２２は本体１１の内側からアンカー保持部１２先端のネジ部１２１まで連続する。
【００１２】
＜３＞ロッド
ロッド１３はアンカー３の内径より小径の棒状部材である。
ロッド１３は本体１１のフレーム１１１内から、アンカー保持部１２のロッド挿通孔１２２に挿通して配置する。
ロッド１３はフレーム１１１側の端部を押出部１１３に着脱自在に取り付ける。
ロッド１３を押出部１１３に取り付けることにより、ロッド１３は押出部１１３の動作に合わせて往復動する。
【００１３】
［２］アンカー打設方法
次に、あと施工アンカー打設装置１を用いたアンカー打設方法について説明する。
【００１４】
＜１＞アンカー孔形成
コンクリート躯体４にアンカー孔４１を形成する。（図３ａ）
アンカー孔４１は、打設しようとするアンカー３の長さ、直径と略同一の深さ、内径とする。
アンカー孔４１は静音ドリルを使用することにより、低騒音で形成することができる。
【００１５】
＜２＞アンカー配置
あと施工アンカー打設装置１にロッド１３を取り付けた状態で、アンカー３をアンカー打設装置１のアンカー保持部１２に螺着する。
アンカー保持部１２に螺着した状態で、形成したアンカー孔４１内にアンカー３を挿入する。（図３ｂ）
【００１６】
＜３＞打設
あと施工アンカー打設装置１を取り付けた油圧式工具を作動させ、押出部１１３を油圧によりコンクリート躯体４方向に押し出す。すると、押出部１１３に取り付けたロッド１３が押出部１１３によって押されてアンカー保持部１２から突出し、アンカー３内部のコーン３１をアンカー３先端方向に押し込む。これにより、アンカー３の拡張部３２を拡張してアンカー孔４１内壁に喰い込ませてアンカー３を固着する。（図３ｃ）
ロッド１３を押し出す押出部１１３は油圧によって動作するため、無音、無振動でコーン３１を押し込み、アンカー３を固着することができる。
アンカー３はあと施工アンカー打設装置１のアンカー保持部１２に取り付けた状態でコーン３１を押し込むことができる。このため、アンカー３の位置決めやが容易であり、打ち込み時のアンカー３のずれを防止できる。
ロッド１３の長さは、アンカー保持部１２からの突出長さが、アンカー保持部１２先端からコーン３１までの長さとコーン３１の打ち込み長さを合わせた長さとなるようにする。
ロッド１３は押出部１１３に着脱自在に取り付けるため、コーン３１の位置や打ち込み長さの異なるアンカー３であっても、ロッド１３を交換することによって、コーンの打ち込み位置の調整が容易に行うことができ、均一な施工が可能となる。
【００１７】
＜３＞打設後
アンカー３を打設した後、油圧式工具を作動してロッド１３を引き戻して、アンカー３をアンカー保持部１２から取り外す。
アンカー保持部１２は回動自在であり、アンカー３はコンクリート躯体４に固着してあるため、アンカー保持部１２を回転することで、容易にアンカー３を取り外すことができる。
打設したアンカー３には、ボルト等を用いて種々の器具を取り付けることができる。（図３ｄ）
【符号の説明】
【００１８】
１        あと施工アンカー打設装置
１１      本体
１１１    フレーム
１１２    取付部
１１３    押出部
１２      アンカー保持部
１２１    ネジ部
１２２    ロッド挿通孔
１３      ロッド
２        油圧式工具
３        アンカー
３１      コーン
３２      拡張部
４        コンクリート躯体
４１      アンカー孔
５        打ち込み棒
６        ハンマー
【図１】
2011101911.tif 000003
【図２】
2011101911.tif 000004
【図３】
2011101911.tif 000005
【図４】
2011101911.tif 000006